(57)【特許請求の範囲】
【請求項１】
被写体の全身画像が撮影可能なカメラと、撮影した被写体画像を表示するディスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体を備えた合成画像プリント装置であって、前記本体部筐体の左側板および右側板の奥部に前記プリンタを選択配置するための開口部が前記本体部筐体の左側板および右側板のそれぞれに設けられ、かつそれぞれの開口部の奥部には前記プリンタの支持部材が設けられ、前記プリンタを配置した開口部にはプリントシール出口を設けた扉が設置され、前記プリンタを配置しない開口部にはめくら板を配した扉が設置されていることを特徴とする合成画像プリント装置。
【請求項２】
被写体の全身画像が撮影可能なカメラと、撮影した被写体画像を表示するディスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体を備えた合成画像プリント装置であって、前記本体部筐体の左側板および右側板の奥部に前記プリンタを選択配置するための開口部が前記本体部筐体の左側板および右側板のそれぞれに設けられ、かつそれぞれの開口部の奥部には前記プリンタの支持部材が設けられ、前記の各開口部の少なくとも１つの奥部に少なくとも１つの前記プリンタが配置され、前記プリンタを配置した開口部にはプリントシール出口を設けた扉が設置され、前記プリンタを配置しない開口部にはめくら板を配した扉が設置されていることを特徴とする合成画像プリント装置。
【発明の詳細な説明】
【０００１】
【発明の属する技術分野】
本発明は、人物等の被写体の画像と予め用意された各種の背景画像との合成画像をシール等の出力媒体に印刷して出力する合成画像プリント装置に係り、特に、その筐体構造に関するものである。
【０００２】
【従来の技術】
従来において、街頭で見受けられる合成画像プリント装置として、例えば実用新案登録第３０３４０１２号に記載されたものが知られている。この従来の装置は、撮影した被写体の上半身画像または顔画像に背景画像、枠画像、キャラクタなどの別途用意した額縁画像を合成してプリントシールの形態でユーザに提供するものである。
しかし、この従来の装置にあっては、ユーザ(被写体)の画像として、上半身または顔部分のみを撮影する構成となっているため、全身で所望のポーズをとった面白味のある画像をプリント出力することができないという問題があった。
そこで、本発明の出願人は、被写体の頭部から足元までの全身画像を撮影し、しかもその全身画像の輪郭をクロマキー処理によって抽出し、その全身画像を背景画像の任意の位置に合成してプリント出力する合成画像プリント装置を提案している（特許文献１参照）。
【０００３】
【特許文献１】
特願平１０−３７４８７９号
この装置においては、被写体の背面側に青色の面発光源を置き、被写体の正面方向から当てた照明光によって形成される被写体の影を消去し、影のない被写体画像をカメラで撮影可能にしている。被写体の影が形成されていた場合、被写体の輪郭を精度良く抽出することができないからである。従って、このような合成画像プリント装置にあっては、被写体の正面側から適切な明るさの照明光が照射されていること、および被写体の背面側に被写体自身の影を消去可能な程度の明るさの青色背面光が照射されていることが必要になる。従って、被写体が撮影のために位置する空間は、上記の照明条件を満たすように外部光を可能な限り遮断できるような構成にする必要がある。
【０００４】
【発明が解決しようとする課題】
上記のように被写体の全身画像を撮影可能する合成画像プリント装置にあっては、被写体自身を上記のような照明条件の空間に収容可能に構成する必要がある。そこで、被写体の収容空間の高さとして、従来は被写体となり得るユーザの平均的な身長を考慮し、この平均的な身長に対し若干の安全係数を見込んだ高さを選定していた。従って、装置筐体の高さは２ｍ以上になってしまう。また、カメラの視野内に被写体の全身が納まるようにすることが必要であることから、横幅についても、２ｍ以上になってしまう。
ところが、このような高さの装置筐体をゲームセンタ等の遊戯施設に搬入する場合、入り口や通路の大きさが装置筐体の大きさより充分大きい場合は問題ないが、エレベータを使用する必要がある設置場所では、エレベータの出入口から出し入れすることができないうえ、重量制限によって規制され、搬入できないという問題が生じている。
【０００５】
【課題を解決するための手段】
上記目的を達成するために、本発明は、被写体の全身画像が撮影可能なカメラと、撮影した被写体画像を表示するディスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体を備えた合成画像プリント装置であって、前記本体部筐体の左側板および右側板の奥部に前記プリンタを選択配置するための開口部が前記本体部筐体の左側板および右側板のそれぞれに設けられ、かつそれぞれの開口部の奥部には前記プリンタの支持部材が設けられ、前記プリンタを配置した開口部にはプリントシール出口を設けた扉が設置され、前記プリンタを配置しない開口部にはめくら板を配した扉が設置されていることを特徴とする。
また、被写体の全身画像が撮影可能なカメラと、撮影した被写体画像を表示するディスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体を備えた合成画像プリント装置であって、前記本体部筐体の左側板および右側板の奥部に前記プリンタを選択配置するための開口部が前記本体部筐体の左側板および右側板のそれぞれに設けられ、かつそれぞれの開口部の奥部には前記プリンタの支持部材が設けられ、前記の各開口部の少なくとも１つの奥部に少なくとも１つの前記プリンタが配置され、前記プリンタを配置した開口部にはプリントシール出口を設けた扉が設置され、前記プリンタを配置しない開口部にはめくら板を配した扉が設置されていることを特徴とする。
【０００６】
【課題を解決するための手段】
前記目的を達成するために、本発明は、被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、前記本体部筐体の左側板および右側板に開口部を設け、前記開口部のいずれかの奥部に前記プリンタを選択的に配置し、前記プリンタを配置した開口部にはプリントシール出口を設けた扉を設置し、前記プリンタを設置しない開口部にはめくら板を配した扉を設置したことを特徴とする。
また、前記本体部筐体の左側板および右側板に開口部を設け、前記開口部の奥部に少なくとも１つの前記プリンタを配置し、前記プリンタを配置した開口部にはプリントシール出口を設けた扉を設置したことを特徴とする。
また、前記本体部筐体の左側板および右側板に設けた開口部のいずれかの奥部に前記プリンタを２台設置し、前記制御装置により、印刷待ちの被写体を前記撮影室から退出させて、いずれか一方のプリンタにより合成画像の印刷を行い、次の被写体の合成画像は他方のプリンタで印刷するように制御することを特徴とする。
また、前記本体部筐体の左側板および右側板に設けた開口部の奥部に前記プリンタを設置し、前記制御装置により、印刷待ちの被写体を前記撮影室から退出させて、いずれか一方の開口部のプリンタにより合成画像の印刷を行い、次の被写体の合成画像は他方の開口部のプリンタで印刷するように制御することを特徴とする。
【０００７】
【発明の実施の形態】
以下、図面を参照して本発明の実施形態を詳細に説明する。
【０００８】
図１は、本発明の合成画像プリント装置の一実施形態を示す斜視図、図２は図１の矢印Ａ方向から見た側面図であり、本体部筐体１と、背景部筐体２と、床板３と、屋根部４とから構成され、本体部筐体１と背景部筐体２とは床板３および屋根部４の結合部材によって所定間隔の距離を隔てて結合されている。結合の仕方としては、それぞれの筐体部を分離して運搬可能なように、ボルト締めなどの分離可能な方法で結合されている。
本体部筐体１と背景部筐体２との間の空間は、被写体が背景部筐体２に入室する通路５となるものであり、図の奥行き方向に通過可能となっている。本体部筐体１と背景部筐体２、床板３および屋根部４は、図３に示すように分離可能となっている。また、背景部筐体２は上下に複数分割した分割背景筐体部２１、２２で構成され、ここでは上下に２分割して運搬し、設置場所にてボルト締め等の方法によって一体化構成可能になっている。
【０００９】
図４は本体部筐体１の外観を示す斜視図であり、図５は正面図であり、本体部筐体１には、被写体の全身画像が撮影可能なカメラ７、撮影した被写体画像を表示するディスプレイ装置８と、撮影した被写体画像とユーザが選択した背景画像とをクロマキー合成法を用いて合成する画像処理手段を備えた制御装置９と、合成画像を印刷出力するプリンタ１０と、被写体の正面に対して所定の明るさの照明光を照射する主照明装置１１Ａ，１１Ｂ，１１Ｃと、課金装置１２と、スピーカ１３が収容されている。なお、この本体部筐体1は底面に配置されたキャスタロール１４によって移動可能になっている。また、ディスプレイ装置８の表面には、タッチパネルが設けられ、表示画面に表示させたメニューやアイコンの位置を押圧または接触することによって、その位置のメニューやアイコンに割り当てた機能を起動することができるようになっている。
一方、背景部筐体２には、図６（ａ）の平面図、同図（ｂ）の側面図に示すように、前記主照明装置１１Ａ〜１１Ｃからの照明光が照射される一側部が開口し、撮影対象の被写体２０を収容可能な空間を有する撮影室１８と、この撮影室１８に入室した被写体２０の背面側および床面側から所定の彩度と明度の背面光を照射する従照明装置１９Ａ，１９Ｂとが設けられている。この従照明装置１９Ａ，１９Ｂは、クロマキー合成法を用いて被写体画像の輪郭を抽出するために、青色光を一様に発光する面発光体で構成され、被写体２０の背面側および足元の床面に生じる影を消去する。なお、従照明装置１９Ａ，１９Ｂは背景部筐体２を組み立ててから設置されるため、背景部筐体２の分割数に左右されることなく、任意のサイズの面発光体を組み合わせて構成することができる。また、面発光体はそれ自体が発光するものであっても良く、また面を構成する部材と発光する部材とからなるものでも良い。
【００１０】
このように構成された合成画像プリント装置によれば、装置全体を本体部筐体１と背景部筐体２、床板３、屋根部４に分離可能に構成し、これらを床板３や屋根部４のパイプ等の結合部材によって結合することによって、１つの装置を構成することができるため、運搬や移送を行う際には、それぞれの筐体部を分離して運搬、または移送を行うことができる。従って、出入口が小さく、重量制限のあるエレベータであっても運搬や移送を容易に行うことが可能になる。特に、背景部筐体２を複数分割したことにより、高さが確保できないような出入口を有する設置場所であっても搬入が可能になる。
なお、上記実施形態では、背景部筐体２を２分割した例を示したが、３分割以上にしてもよい。
【００１１】
ところで、この種の装置を設置する場合、プリントシールの出口が建物の壁面に面してしまったり、他の装置との間に面してしまうことがある。そこで、本発明では、プリントシールの出口を本体部筐体１の正面、右側面、左側面のいずれにも配置可能なように構成している。
すなわち、図７に示すように、本体部筐体１の下部の正面側板および右側板、左側板に、同一サイズの開口部を設け、これらの開口部は同一サイズの扉１５，１６、１７で塞ぐように構成し、かつプリンタ１０のプリントシール出口側に位置する扉には、プリントシールの出口穴が形成された扉で塞ぎ、プリントシールの出口に該当しない扉は同一サイズの「めくら板」構成の扉で塞ぐように構成する。
【００１２】
図７では、３つの具体例を示し、同図（ａ）では左側板側の扉１７の奥部に２台のプリンタを配置し、正面側板側の扉１５の奥部に制御装置９を構成するパーソナルコンピュータを配置する例を示している。また、同図（ｂ）では、正面側板側の扉１５の奥部に１台のプリンタとパーソナルコンピュータを配置する例を示している。さらに、同図（ｃ）では右側板側の扉１６の奥部に２台のプリンタを配置し、正面側板側の扉１５の奥部に制御装置９を構成するパーソナルコンピュータを配置する例を示している。図７（ａ）および（ｃ）の例では、扉１７および１６には、プリンタが２台であることから、２つのプリントシール出口が形成されている。なお、２台のプリンタを配置するようにしている理由は、一方が故障した場合に他方をバックアップ用として使用したり、撮影を終了したユ−ザには撮影室外部に出てもらい、右側面または左側面にプリントシ−ル出口が設けられたプリンタに印刷を行わせ、次のユ−ザには他方のプリンタで印刷させるように稼働させることにより、印刷待ちのユ−ザによって装置が占有される時間を短縮し、装置の稼働率を向上させるなどの制御を行うようにするものである。
【００１３】
このような選択配置構造は、図８に示すように、プリンタやパーソナルコンピュータを固定するスライドレール２３の筐体取り付け位置を、台座や棚板等の支持部材上で任意に選択可能なようにネジ穴を形成しておくことによって実現することができる。図８では、図７（ｃ）の取り付け状態の時のスライドレール２３の位置を２３ｃの実線で示し、図７（ａ）の取り付け状態の時のスライドレール２３の位置を２３ａの破線で示し、図７（ｂ）の取り付け状態の時のスライドレール２３の位置を２３ｂで示している。
このように、プリンタ１０や制御装置９(パーソナルコンピュータ)を収納する開口部を正面側板下部、右側板下部、左側板下部にそれぞれ設けておき、装置の設置場所に応じて、プリンタ１０や制御装置９を固定する位置を選択し、プリンタ１０を固定した側板の扉にはプリントシール出口を備えた扉を取り付け、その他の扉には「めくら板」構成の扉を取り付けるようにすることにより、ユーザがプリントシールを取り出し易い向きにプリントシール出口を選定することが可能になり、装置の設置場所の融通性が高くなる。また、扉としては、２種類の扉を用意しておくだけで対応できる。
なお、プリンタ１０や制御装置９はスライドレール２３に取り付ける構造でなく、台座や棚板等の支持部材上に予め形成したネジ穴を選択して直接取り付ける構造であってもよい。また、プリンタ１０や制御装置９(パーソナルコンピュータ)を収納する開口部の大きさおよびこれらの開口部に取り付ける扉１５，１６，１７は必ずしも同一サイズである必要はなく、異なるサイズであってもよい。
【００１４】
図９は、本発明の合成画像プリント装置の機能構成を示すブロック図である。なお、図５と同一部分は同一符号で示している。図９において、カメラ７は制御装置９のキャプチャボード９１に接続されており、被写体の撮影画像を例えばＮＴＳＣ信号形式でキャプチャボード９１に入力する。キャプチャボード９１は、カメラ７で撮影した被写体のモニタ動画像をディスプレイ装置８の画面上に表示するためのビデオ信号キャプチャリングを行うものである。
プリンタ１０は、制御装置９のＳＣＳＩボード９２に接続されており、合成画像のデータをＳＣＳＩ規格の高速転送形式で受け取り、プリントシールに印刷して出力する。
ディスプレイ装置８は、制御装置９のＶＧＡ９３に接続され、被写体画像や各種の操作案内等を表示する。このディスプレイ装置８の表示画面上に設けられたタッチパネル２５はタッチパネル制御ボックス２６に接続され、タッチパネル上のユーザによる押圧位置座標データがタッチパネル制御ボックス２６で検出され、マウスインターフェースに変換されて制御装置９に転送される。
利用料金を受付ける課金装置１２や保守点検用のスイッチ部２７および課金カウンタ部２８は制御基板２９を介して制御装置９のＩ／Ｏボード９４に接続され、制御装置９はＩ／Ｏボード９４を介してコインの投入やスイッチ部２７の各スイッチの押下を検出したり、課金カウント値やプリントカウント値を進めたりする。
スピーカ１３はアンプ３０を介して制御装置９のサウンドボード９５に接続され、制御装置９はサウンドボード９５を介して音声ガイダンスのメッセージを出力する。
制御装置９の内部には、汎用のパーソナルコンピュータと同様に、フロッピイディスク装置(図示せず)やハードディスク（ＨＤＤ）９６が設けられている他に、被写体画像と合成するための背景画像を入力するためのフォトディスク装置（ＰＤ）９７が設けられている。また、装置全体は無停電電源装置３１で商用交流電源の停電時にも動作用の電源（交流電源）が供給されるようになっている。
【００１５】
このように構成された合成画像プリント装置においては、本発明の出願人が先に出願した特願平１０−３７４８７９号に記載しているような方法で被写体画像と背景画像の合成を行い、プリンタ１０からプリントシールの出力形式で出力する。なお、プリントシールに印刷して出力するのと同時に、フロッピイディスク等の媒体に出力することも可能である。なお、画像合成の方法については、前記特願平１０−３７４８７９号に詳しく記載してあるので、ここでの説明は省略する。
【００１６】
以上、説明したように、本実施形態によれば、装置全体を本体部筐体と背景部筐体、床板、屋根部に分離可能に構成し、これらを床板や屋根部のパイプ等の結合部材によって結合することによって、１つの装置を構成するようにしたため、運搬や移送を行う際には、それぞれの筐体部を分離して運搬、または移送を行うことができる。従って、出入口が小さく、重量制限のあるエレベータであっても運搬や移送を容易に行うことが可能になる。特に、背景部筐体を複数分割したことにより、高さが確保できないような出入口を有する設置場所であっても搬入が可能になるという効果がある。
特に、プリンタや制御装置を収納する開口部を正面側板下部、右側板下部、左側板下部にそれぞれ設けておき、装置の設置場所に応じて、プリンタや制御装置の固定位置を選択し、プリンタを固定した側板の扉にはプリントシール出口を備えた扉を取り付け、その他の扉には「めくら板」構成の扉を取り付けるようにすることにより、ユーザがプリントシールを取り出し易い向きにプリントシール出口を選定することが可能になり、装置の設置場所の融通性が高くなり、さらに撮影を終了したユーザについては右側面または左側面の開口部の奥部に選択配置したプリンタ出口側の撮影室へ外部に退出させる制御を行うことにより、装置の稼動率を向上させることが可能になるという効果がある。
また、左側面または右側面に設けた開口部の奥部にプリンタを２台設置し、撮影を終えたユーザを撮影室から退出させていずれか一方のプリンタにより合成画像の印刷を行い、次の被写体の合成画像は他方のプリンタで印刷するように制御することにより、さらに装置の稼働率を向上させることが可能になるという効果がある。
【００１７】
【発明の効果】
以上説明したように、本発明によれば、合成画像を印刷するプリンタを本体部筐体の左側板または右側板に設けた開口部の奥部に選択的に設置可能な筐体構造とした上で、制御装置により、撮影を終えた被写体を撮影室から前記プリンタのプリントシール出口側へ退出させて合成画像の印刷を行うように制御することにより、装置の設置場所を選定する際の融通性が向上し、かつ装置の稼動率を向上させることが可能になるという効果がある。
また、左側板または右側板に設けた開口部の奥部に２台設置し、撮影を終えた被写体を撮影室から退出させていずれか一方のプリンタにより合成画像の印刷を行い、次の被写体の合成画像は他方のプリンタで印刷するように制御することにより、さらに装置の稼働率を向上させることが可能になるという効果がある。
【図面の簡単な説明】
【図１】本発明の合成画像プリント装置の一実施形態を示す斜視図である。
【図２】図１の矢印Ａ方向から見た側面図である。
【図３】装置全体が本体部筐体と背景部筐体、床板、屋根部に分離されている状態を示す図である。
【図４】本体部筐体の外観を示す斜視図である。
【図５】本体部筐体の正面図である。
【図６】背景部筐体の構成を示す平面図および側面図である。
【図７】プリンタおよび制御装置の取り付け位置を変えた例を示す図である。
【図８】プリンタおよび制御装置の取り付け位置を変えるためのスライドレールの位置を示す図である。
【図９】本発明の合成画像プリント装置の機能構成を示すブロック図である。
【符号の説明】
１…本体部筐体、２…背景部筐体、３…床板、４…屋根部、５…通路、７…カメラ、８…ディスプレイ装置、９…制御装置、１０…プリンタ、１１Ａ〜１１Ｃ…主照明装置、１５，１６，１７…扉、１８…撮影室、１９Ａ，１９Ｂ…従照明装置、２０…被写体、２１、２２…分割背景筐体部。
【図１】
0003665319.tif 000002
【図２】
0003665319.tif 000003
【図３】
0003665319.tif 000004
【図４】
0003665319.tif 000005
【図５】
0003665319.tif 000006
【図６】
0003665319.tif 000007
【図７】
0003665319.tif 000008
【図８】
0003665319.tif 000009
【図９】
0003665319.tif 000010